(57)【要約】【課題】  鋸屑等の吸着材を使用することなく、悪臭の少ない、衛生状態の良好な豚舎用敷料を製造すると共に、該豚舎用敷料を豚舎の床部に敷設して敷料床を形成し、良好な豚の飼育環境を確保できるようにする。【解決手段】  豚房１５の床部２を、コンクリート床３と、豚の糞尿を堆肥化した豚舎用敷料８の敷料床９とで構成し、母豚の分娩の際には、豚房１５のコンクリート床３を仕切り部材１１，…によって囲繞して小収容室１６，…を形成すると共に、出産した子豚を飼育する際には、豚房１５の床部２を仕切り部材１１，…によって囲繞して大収容室１７，…を形成し、さらに、豚房１５の敷料床９の豚舎用敷料８を攪拌する攪拌移送機２０を設けて、敷料床９の良好な状態に維持し、一つの豚房１５で母豚の分娩から豚の飼育まで行えるようにする。【選択図】 図１
2006271399.tif 000002
【特許請求の範囲】
【請求項１】
母豚の飼育、母豚の分娩、母豚からの離乳、及び、豚の飼育が行える豚房を備えた豚舎構造において、該豚房は、その床部が、コンクリートの床と、豚の糞尿を堆肥化した豚舎用敷料の床とで構成され、且つ、豚房は、その床部が仕切り部材によって囲繞されて形成される大収容室と、コンクリート床が仕切り部材によって囲繞されて形成される小収容室とに使い分け可能に構成されてなることを特徴とする豚舎構造。
【請求項２】
敷料床の豚舎用敷料を攪拌する攪拌移送機が設けられてなることを特徴とする請求項１に記載の豚舎構造。
【請求項３】
豚房のコンクリート床には、緩やかな下降傾斜面が形成され、しかも、該下降傾斜面の下端部に隣接して排泄物の排出溝が形成され、さらに、該排出溝の開口部が、着脱可能な簾子によって閉塞されてなることを特徴とする請求項１又は２に記載の豚舎構造。
【請求項４】
コンクリートの床と、豚の糞尿を堆肥化した豚舎用敷料の床とで床部が構成され、且つ、その床部が仕切り部材によって囲繞されて形成される大収容室と、コンクリート床が仕切り部材によって囲繞されて形成される小収容室とに使い分け可能に構成された豚房を設け、さらに、敷料床の豚舎用敷料を攪拌する攪拌移送機を設けた豚舎構造における敷料床の維持方法であって、
豚舎用敷料の攪拌の際、豚を小収容室に収容した後、攪拌移送機によって、敷料床の豚舎用敷料を往復動して攪拌移送することを特徴とする豚舎構造における敷料床の維持方法。
【請求項５】
発酵菌を豚の糞に添加して堆肥化装置に投入し、１０日間程度攪拌して６５〜７５度に発酵させることを特徴とする豚舎構造に使用する豚舎用敷料の製造方法。
【発明の詳細な説明】
【技術分野】
【０００１】
本発明は、母豚の分娩から出産した子豚から肉豚出荷まで行える豚房を備えた豚舎構造、豚舎構造における敷料床の維持方法、及び、豚舎構造に使用する豚舎用敷料の製造方法に関する。
【背景技術】
【０００２】
従来の豚舎構造としては、オガ粉等の糞尿吸着剤の投入位置から排出側にかけて糞尿排泄等の豚の生活行動（習癖）を通して生じさせ、豚舎床面のオガ粉等の糞尿吸着剤と糞尿の混合物を投入側から排出側へ向けて人為的なものを加えず一方向に順次移動させ排出させるようにしたものが公知になっている（例えば、特許文献１参照）。
【０００３】
【特許文献１】特開平８―５１８８２号公報（第１―７頁、図１乃至図５）
【発明の開示】
【発明が解決しようとする課題】
【０００４】
しかしながら、従来の豚舎構造の場合、鋸屑等の吸着材を豚房内に敷設して糞尿を吸着させているため、糞尿と鋸屑とが混練されて汚泥化するにつれ悪臭がひどく、衛生状態も悪化する。そのため一定期間毎の交換作業は欠かせず、人が豚房内に入って作業するには極めて過酷な作業となるという問題がある。
【０００５】
そこで、本発明は上記問題点に鑑み、鋸屑等の吸着材を使用することなく、悪臭の少ない、衛生状態の良好な豚舎用敷料を製造すると共に、該豚舎用敷料を豚舎の床部に敷設して敷料床を形成し、良好な豚の飼育環境を確保できる豚舎構造、豚舎構造における敷料床の維持方法、及び、豚舎構造に使用する豚舎用敷料の製造方法を提供することを目的とする。
【課題を解決するための手段】
【０００６】
上記課題を解決するために、本発明の豚舎構造は、請求項１に示す如く、母豚の飼育、母豚の分娩、母豚からの離乳、及び、豚の飼育が行える豚房を備えた豚舎構造において、該豚房は、その床部が、コンクリートの床と、豚の糞尿を堆肥化した豚舎用敷料の床とで構成され、且つ、豚房は、その床部が仕切り部材によって囲繞されて形成される大収容室と、コンクリート床又は敷料床のいずれか一方が仕切り部材によって囲繞されて形成される小収容室とに使い分け可能に構成するようにしたものである。
【０００７】
ここでいう大収容室と小収容室との使い分けとは、例えば、母豚を分娩させるに充分な収容室（小収容室）を確保する場合、母豚の飼育、離乳した豚の飼育、成長した豚の飼育が行えるに充分な収容室（大収容室）を確保する場合、豚の成長に合わせて小収容室から大収容室に拡張する場合、及び、敷料床の豚舎用敷料の攪拌する際に大収容室から小収容室に縮小する場合などをいう。
【０００８】
具体的に説明すると、例えば、母豚を分娩させる場合、コンクリート床を仕切り部材によって囲繞して小収容室を形成し、母豚の出産に必要とされる分娩柵を、小収容室のコンクリート床に設置して出産させる。そして、豚が成長した場合、豚房の床部を仕切り部材によって囲繞することで大収容室を形成し、大収容室の拡張された広いスペースで豚を飼育する。この場合、小収容室から大収容室に拡張する際には、コンクリート床を仕切り部材によって囲繞した状態で、敷料床を仕切り部材によって囲繞し、その後、コンクリート床と敷料床との境界部位の仕切り部材を取り外す。
【０００９】
また、豚房の敷料床を攪拌する場合、豚房の床部を仕切り部材によって囲繞した状態で、豚をコンクリート床側に移動させ、コンクリート床と敷料床との境界部位に仕切り部材を立設し、その後、敷料床の仕切り部材を取り外し、敷料床の豚舎用敷料を攪拌する。
【００１０】
つまり、いずれの場合も、豚房の床部やコンクリート床を囲繞する仕切り部材の位置や数を変更したり、コンクリート床と敷料床との境界部位の仕切り部材を着脱又は開閉（位置変更）したりすることで、大きさの異なる収容室を場合に合わせて適宜形成し、使い分けしている。なお、仕切り部材としては、例えば、柵、壁材、網目の形成された板材などを使用する。
【００１１】
また、請求項２に示す如く、敷料床の豚舎用敷料を攪拌する攪拌移送機を豚房に設けるようにしたものである。
【００１２】
豚舎用敷料は、その表面から約１０ｃｍの下層部で４０℃前後の発酵温度となっている。この発酵温度が豚の飼育に必要な保温に適しており、保温効果で豚の生育も良く、良質の豚肉が安価に得られるようになる。この豚舎用敷料の発酵温度を維持するには、豚の糞尿によって豚舎用敷料に含まれる水分を蒸散する必要がある。その手段として、攪拌移送機によって豚舎用敷料を攪拌することが効果的である。そうすることで、豚舎用敷料の発酵温度が維持されて、豚房の収容室が好環境に保全されることになる。
【００１３】
さらに、請求項３に示す如く、緩やかな下降傾斜面を豚房のコンクリート床に形成し、排泄物の排出溝を下降傾斜面の下端部に隣接して形成し、排出溝の開口部を、着脱可能な簾子によって閉塞するようにしてもよい。
【００１４】
例えば、分娩後の母豚や豚の排泄物を排出溝から外部に排出できるし、夏場におけるコンクリート床の清掃の際にも有効である。さらに、排出溝も簾子を取り外せば容易に清掃できる。即ち、排出溝や簾子を設けることで、生長した豚の飼育環境もよくなり、豚房内を清潔な環境に維持できる。
【００１５】
また、本発明の豚舎構造における敷料床の維持方法は、請求項４に示す如く、コンクリートの床と、豚の糞尿を堆肥化した豚舎用敷料の床とで床部が構成され、且つ、その床部が仕切り部材によって囲繞されて形成される大収容室と、コンクリート床が仕切り部材によって囲繞されて形成される小収容室とに使い分け可能に構成された豚房を設け、さらに、敷料床の豚舎用敷料を攪拌する攪拌移送機を設けた豚舎構造における敷料床の維持方法であって、豚舎用敷料の攪拌の際、豚を小収容室に収容した後、攪拌移送機を往復動させることによって、敷料床の豚舎用敷料を上流側から下流側に攪拌移送するようにしたものである。
【００１６】
例えば、敷料床の豚舎用敷料を上流側から下流側に攪拌する際、大収容室で飼育している豚を小収容室に収容できるため、豚は一つの豚房内を移動するだけでよく、豚に与えるストレスを低減できる。また、豚舎用敷料の発酵温度が維持されるため、例えば、冬場、敷料床の表面部分が冷たくなっても、敷料床の内部の発酵温度は維持されており、豚が敷料床の表面を取り除いて発酵温度の維持された敷料床の内部に横たわることができるようになる。
【００１７】
加えて、本発明の豚舎構造に使用する豚舎用敷料の製造方法は、請求項５に示す如く、発酵菌を豚の糞に添加して堆肥化装置に投入し、１０日間程度攪拌して６５〜７５度に発酵させるようにしたものである。
【００１８】
この場合、鋸屑などの吸着材を使用していないため、さらさらした顆粒状の豚舎用敷料を容易に製造できる。しかも、この豚舎用敷料は、病原菌や寄生虫卵が死滅し、豚が病気にかかりにくく、瀕死頭数を低減できる。さらに、豚の糞尿が攪拌されることで、糞尿の水分が蒸散するため、汚泥化されにくく悪臭の発生もなくなる。
【発明の効果】
【００１９】
以上説明したように、本発明の豚舎構造によれば、豚房の床部を、コンクリートの床と、豚の糞尿を堆肥化した豚舎用敷料の床とで構成し、一つの豚房を、豚房の床部を仕切り部材によって囲繞して形成する大収容室と、コンクリート床を仕切り部材によって囲繞して形成する小収容室とに使い分けするようにしたので、小収容室において、母豚の分娩、及び、母豚から子豚への哺乳を行うことができ、大収容室において、母豚の飼育、母豚からの離乳、離乳した豚の飼育、成長した豚の飼育を行うことができる。即ち、一つの豚房で豚の成長に合った飼育を行うことができる。
【００２０】
さらに、豚房のコンクリート床の緩やかな下降傾斜面によって水勾配を形成し、該水勾配によって排泄物の排出を可能にするようにしたので、コンクリート床の衛生管理に効果的である。
【００２１】
加えて、攪拌移送機によって、豚房の敷料床の豚舎用敷料を攪拌して維持したり、排出溝に溜まった排泄物を敷料床に散布したりするようにしたので、豚舎用敷料を他社から仕入れる必要がなく、資源の有効利用が実現されて、経費節減が図られる。
【００２２】
また、発酵菌の添加された豚の糞を、堆肥化装置に投入し１０日間程度攪拌して６５〜７５度に発酵させるようにしたので、６５℃以上の発酵温度が電気等の光熱を利用することなく得られることができ、光熱費が節減できると共に、漏電等の心配もなく安全である。
【発明を実施するための最良の形態】
【００２３】
本発明を実施するための最良の形態につき、図１〜図８を参照して説明する。本発明の豚舎構造について、要部となる豚舎の床部の構造について図１〜図３を参照して説明する。豚舎１の床部２は、該床部２に敷設された平面視略矩形状のコンクリート床３と、該コンクリート床３の略中央部に形成された縦長の凹溝４と、該凹溝４の底壁に長手方向に沿って立設された三つの突条壁５ａ〜５ｃと、凹溝４の左右の側壁、及び、左右の突条壁５ａ、５ｂによって形成された二つの細長い排出溝６，６と、該両排出溝６，６の開口部を閉塞した着脱可能な複数の簾子６ａ，…と、凹溝４の底壁、及び、各突条壁５ａ〜５ｃによって形成された二つの幅広の敷料床形成溝７，７と、該両敷料床形成溝７，７に敷設された豚舎用敷料８と、該豚舎用敷料８によって形成された敷料床９，９とから構成されている。
【００２４】
コンクリート床３の両側、及び、各突条壁５ａ〜５ｃには、複数の支柱１０，…が縦列に立設されている。この各支柱１０，…は、図１に示すように、前後左右に等間隔（３ｍ間隔）に立設されており、平面から見ると、碁盤格子の交点（縦７個×横５個）にそれぞれ立設されたようになっている。
【００２５】
さらに、コンクリート床３の両側に立設された各支柱間１０，…、即ち左端縦列の各支柱間１０，…、及び、右端縦列の各支柱１０，…間には、仕切り部材としての固定柵１１，…が縦方向に取り付けられている。しかも、該両端縦列の各支柱１０，…と、左右の突条壁５ａ、５ｃに立設された両縦列の各支柱１０，…との間には、仕切り部材としての固定柵１１，…が横方向に取り付けられている。さらに、中央の突条壁５ｂに立設された縦列の各支柱１０，…間には、仕切り部材としての固定柵１１，…が縦方向に取り付けられている。加えて、左右の突条壁５ａ、５ｃに立設された両縦列の各支柱１０，…には、仕切り部材としての開閉柵１２，…が回動可能に支持されている。
【００２６】
そして、開閉柵１２，…を、左右の突条壁５ａ、５ｃの各支柱１０，…に係止させた状態においては、平面視正方形状の６個の小収容室１６，…が床部２の両側に一列ずつ形成される。さらに、開閉柵１２，…を中央の縦列の各支柱１０，…に係止させた状態においては、平面視矩形状の６個の大収容室１７，…が隣接して二列に形成される。なお、図１においては、平面視矩形状の６個の大収容室１７，…が床部２の左側に形成されると共に、平面視正方形状の６個の小収容室１６，…が床部２の右側に形成された状態が便宜上図示されている。
【００２７】
凹溝４は、幅３ｍ、深さ０．８ｍの大きさになっている。そして、凹溝４に敷設された敷料床９の床面と、コンクリート床３の床面とが略同一になっている。
【００２８】
コンクリート床３には、排出溝６に向かって緩やかに下降傾斜した傾斜面３ａが形成されている。この排出溝６は、分娩の際、母豚や子豚からの排泄物、及び、成長した豚の夏場の排泄物を外部へ排出するためのものである。
【００２９】
排出溝６には、スクレーパ６ｂが設けられ、上述した排泄物を円滑に外部に排出できるようになっている。
【００３０】
豚舎用敷料８は、豚の糞尿に発酵菌（土着菌又は枯草菌）を添加し、図示しない密閉型堆肥化装置（市販品）に投入して製造されている。例えば、発酵菌が土着菌の場合には、生糞に対して約０．２％添加し、枯草菌（納豆菌と同種）の場合には、生糞に対して約０．０１％添加する。そして、密閉型堆肥化装置の攪拌速度は、３分間に１回攪拌し、１５分間稼動させる。これを１日８回稼動（１日４０回の攪拌）させて１０日間行う。そうすれば、豚舎用敷料８の発酵温度が６５度〜７５度になる。豚舎用敷料８の発酵温度を６５℃以上にすることで、病原菌や寄生虫卵が死滅すると共に、尿水分が蒸散し、良好な豚舎用敷料８が得られる。また、土着菌を発酵菌として使用した場合には、悪臭の発生が阻止できる。したがって、鋸屑（オガ粉）等の吸着材を使用していないため、豚舎１より発生する悪臭及び豚より排泄される尿汚水の放流をなくすことができ、豚の病気を少なくして健康な発育を促し、良質な豚肉を得ることができる。なお、密閉型堆肥化装置に限定されるものではない。
【００３１】
また、豚舎１には、敷料床９を往復動する攪拌移送機２０が設けられている。この攪拌移送機２０は、図４〜図６に示すように、豚舎１の支柱１ａ，…に前後方向に架設された二本の前後移動用軌条２１，２１と、該両前後移動用軌条２１，２１を移動する平面視四角形状の前後移動用架台２２と、該前後移動用架台２２に垂設された搭載枠２３と、前後移動用架台２２に設けられた左右方向の二本の左右移動用軌条２４，２４と、該両左右移動用軌条２４，２４を移動する左右移動用架台２５とから構成されている。
【００３２】
前後移動用架台２２には、左右方向の車軸Ｊと、該車軸Ｊの両端部に設けられたローラＲ，…と、該ローラＲ，…を回動させる前後移動用モータ３０とを有している。そして、前後移動用モータ３０の回動軸と、車軸Ｊに設けられたプーリＰとにベルトＢが捲回され、前後移動用モータ３０の回動が車軸Ｊに伝達され、前後移動用架台２２が前後移動用軌条２１，２１を移動するようになる。
【００３３】
搭載枠２３には、その下端部に攪拌ロータ３５が取り付けられると共に、上部に攪拌モータ３８が搭載されている。そして、攪拌ロータ３５は、大径の芯棒３６と、該芯棒３６に径外方向に設けられた複数の攪拌羽３７，…と、芯棒３６の両端部から軸線方向に延出された細径の支軸３８，３８と、攪拌ロータ３５の支軸３８，３８に設けられたプーリＰとを有している。さらに、攪拌モータ３９の回動軸と、攪拌ロータ３５の一方の支軸３８のプーリＰとにベルトＢが捲回され、攪拌モータ３９の回動が攪拌ロータ３５の支軸３８，３８に伝達され、攪拌ロータ３５が回動するようになる。
【００３４】
左右移動用架台２５には、前後方向の車軸Ｊと、該車軸Ｊの両端部に設けられたローラＲ，…と、該ローラＲ，…を回動させる左右移動用モータ３１とを有している。そして、左右移動用モータ３１の回動軸と、車軸Ｊに設けられたプーリＰとにベルトＢが捲回され、左右移動用モータ３１の回動が車軸Ｊに伝達され、左右移動用架台２５が左右移動用軌条を移動するようになる。
【００３５】
つぎに、コンクリート床３に設置される分娩柵４０について図７を参照して説明する。該分娩柵４０は、平面視四角形状の底板４１と、該底板４１の下面の四隅に垂設された取付脚４２，…と、底板４１の上面に立設されたコ字形状の固定ガード４４と、後述する固定ガード４４の後ガード４４ｃ、４４ｃの間に設けられた開閉扉４５と、内部に設けられた横倒れ防止体４６と、前側上部に設けられた頭部位置規制体４７と、後部に設けられた尻位置規制体４８とを具備している。なお、分娩柵４０を豚房１５に設置する場合には、クレーンなどによって分娩柵４０を吊り下げて移動させる場合もある。
【００３６】
底板４１には、出産直後の子豚の脚が突き出ない程度の網目４１ａ，…が形成されている。
【００３７】
取付脚４２，…には、コンクリート床３にアンカーボルト止めできる取付板４３，…が溶着されている。
【００３８】
固定ガード４４は、底板４１の両側に立設された側ガード４４ａと、底板４１の前部の両側に立設された前ガード４４ｂと、後部の両側に立設された後ガード４４ｃとを有している。そして、底板４１の前側の中央部が開放されていると共に、底板４１の後側の中央部が開閉扉４５によって閉塞されている。底板４１の前側の中央部が開放されている理由としては、母豚への餌箱を設置するためである。
【００３９】
横倒れ防止体４６は、前後方向の棒体４６ａと、該棒体４６ａに所定の間隔をおいて斜め下方に傾斜して固着された当接片４６ｂ，…とを具備している。この各当接片４６ｂ，…は、母豚が横向きに倒れた際に、子豚が圧死しないように母豚から保護するためのものである。
【００４０】
頭部位置規制体４７は、側面視略台形状を呈し、母豚の頭部を保護すると共に、母豚の頭部が固定ガード４４から突出しないようにしている。
【００４１】
尻位置規制体４８は、開閉扉１２から母豚が後退しないように、四本の棒体が「井」の字形状に骨組みされている。なお、この尻位置規制体４８は、母豚の分娩柵４０への収容が終了すれば取り外す。
【００４２】
つぎに本発明の豚舎構造における豚の飼育方法、及び、豚房の敷料床９の維持方法について説明する。まず、開閉柵１２を左右の突条壁５ａ、５ｃの各支柱１０，…に係止させて、豚房１５，…のコンクリート床３を固定柵１１，…、及び、開閉柵１２によって囲繞し、平面視正方形状の６個の小収容室１６，…を床部２の両側に一列ずつ形成する。
【００４３】
つぎに、敷料床形成溝７，７に豚舎用敷料８を敷設して敷料床９，９を形成する。この際、コンクリート床３の床面と敷料床９，９の床面を略同一高さにする。その後、複数の分娩柵４０，…を各小収容室１６，…にそれぞれ設置した後、分娩前の母豚を分娩柵４０，…に収容して出産させる。なお、この実施形態では、複数の分娩柵４０，…を各小収容室１６，…に設置したが、一つの分娩柵４０を小収容室１６，…に移動させるようにしてもよい。
【００４４】
出産直後、開閉柵１２を中央の突条壁５ｂの各支柱１０，…に係止させ、豚房１５，…の床部２を固定柵１１，…、及び、開閉柵１２によって囲繞して、平面視矩形状の６個の大収容室１７，…を形成する。分娩柵４０，…は、約１４日間大収容室１７，…に設置した状態で、母豚の哺乳によって子豚を育成する。この際、母豚が横倒れの状態になっても、母豚の胴部が分娩柵４０の横倒れ防止体４６の当接片４６ｂ，…に当接して、母豚から子豚を保護できる。出産してから１５日後、分娩柵４０，…を撤去する。
【００４５】
続いて、大収容室１７，…において、平均２４（２１日〜２８日）日令で豚を母豚から離乳させて飼育する。
【００４６】
この際、大収容室１７が、コンクリート床３と敷料床９との両方を有しているため、豚（子豚）は、発酵熱で保温された敷料床９を寝場所として、又は、遊び場所として使用することができる。よって、豚（子豚）は、活発に運動して、飼料の食い込みがよく、肉付きや肌つやがよく、健康に発育することになる。なお、豚（子豚）は、夏場においては、コンクリート床３を休息場所としている。
【００４７】
一方、豚が成長するにつれて、排泄物の量も多くなり、豚舎用敷料８に多くの水分が含まれることになるため、敷料床９の豚舎用敷料８を攪拌移送機２０によって攪拌し、敷料床９に含まれる水分を蒸散させて、敷料床９の発酵温度を維持する必要がある。なお、敷料床９の湿り具合は、作業者の目視によって行われている。
【００４８】
この場合、豚をコンクリート床３側に移動させ、中央の突条壁５ｂの各支柱１０，…に係止した開閉柵１２を、左右の突条壁５ａ，５ｂの各支柱１０，…に係止させて、豚房１５のコンクリート床３を固定柵１１，…、及び、開閉柵１２によって囲繞して小収容室１６，…を形成し、豚を小収容室１６，…に収容する。なお、豚の移動は豚房１５の内部での移動であることから豚に与えるストレスは少ないと考えられる。
【００４９】
この状態で、攪拌移送機２０の攪拌モータ３９、及び、前後移動用モータ３０を駆動させ、前後移動用架台２２を前方へ移動させると共に、攪拌ロータ３５によって豚舎用敷料８の発酵を促しながら上流側から下流側に攪拌移送する。なお、攪拌モータ３９の回転速度は、１．５秒間に１回転、移動速度は、１時間に８０ｍであることが好ましい。
【００５０】
その後、前後移動用モータ３０を逆回動させて、攪拌移送機２０を下流側から上流側に後退させる。つぎに、左右移動用モータ３１を駆動させて攪拌移送機２０を左側に移動させて、左側の縦列の豚房１５，…の豚舎用敷料８を前記と同様に攪拌する。なお、豚房１５における飼育内容（小収容室１６の使用、大収容室１７の使用、母豚の収容、育成、分娩、離乳、出荷、敷料床９の攪拌）と期間との関係を図８に示す。
【００５１】
攪拌移送されて下流側に排出された豚舎用敷料８は、そのまま上流側から再度供給するか、或いは、発酵菌を添加して密閉型堆肥化装置に再度投入し、１０日間程度攪拌して６５〜７５度に発酵させた後、上流側から供給する。また、排出溝６，６に溜まった排泄物を敷料床９に散布してもよい。この場合、資源の再利用が可能になり、経費節減に繋がる。
【００５２】
なお、前記実施形態の場合、生糞（主として豚の生糞）を堆肥化するようにしたが、これに限定されるものではなく、食品バイプロ、野菜くず、牧草等を堆肥化するようにしてもよい。
【００５３】
また、前記実施形態の場合、平面視矩形状又は正方形状の豚房１５としたが、扇形、円形、楕円形、多角形であってもよく、豚房１５の数も単数であってもよい。
【００５４】
さらに、前記実施形態の場合、図７に示す分娩柵４０を使用したが、分娩柵４０の内部において母豚の位置を規制でき、且つ、子豚の圧死を防止できるものであればよく、分娩柵４０の形状は図示に限定されるものではない。例えば、固定ガード４４（側ガード４４ａ、前ガード４４ｂ、後ガード４４ｃ）の無い分娩柵４０であってもよい。
【００５５】
加えて、前記実施形態の場合、分娩前の母豚を収容して分娩させ、出産した豚を飼育するようにしたが、母豚の飼育、母豚からの離乳のみ、成長した豚の飼育にも適用できるのは言うまでもない。
【００５６】
つぎに実施例について説明する。飼育期間を平成１５年５月１８日〜１１月２６日とし、離乳時の豚の飼育頭数を８９４頭とし、本発明の豚舎を使用した場合と、コンクリート床に簾子を敷設した従来型の豚舎を使用した場合とにおいて、離乳時の豚の平均体重（開始体重）、平均出荷日令、平均枝重、瀕死頭数の統計をとった（表１参照）。各項目を比較すると、本発明の豚舎１の方が、平均出荷日令は３日早く、平均枝重は０．３ｋｇ重く、瀕死頭数が大幅に少なくなっている。この結果から、本発明の豚舎で飼育された豚は、豚の成長が早くて肉付きがよく、しかも、本発明の豚舎は、病原菌の少ない好環境であることが実証されている。
【００５７】
【表１】
2006271399.tif 000003
【産業上の利用可能性】
【００５８】
本発明の豚舎構造、豚舎構造における敷料床の維持方法、及び、豚舎構造に使用する豚舎用敷料の製造方法によれば、悪臭の少ない豚舎用敷料を製造できることに加えて、糞と尿を個別に処理する糞尿処理施設が不要になるため、畜産産業に貢献できる可能性は高い。
【図面の簡単な説明】
【００５９】
【図１】豚舎構造の一実施形態を示す豚舎内平面図である。
【図２】豚舎構造の一実施形態を示す縦断面図である。
【図３】豚舎構造の一実施形態を示す要部斜視図である。
【図４】撹拌移送装機の斜視図である。
【図５】撹拌移送装機の側面図である。
【図６】撹拌ロータの斜視図である。
【図７】分娩柵の斜視図である。
【図８】本発明の豚舎構造における飼育内容と期間との関係を示した図である。
【符号の説明】
【００６０】
１ 豚舎
１ａ、１０ 支柱
２ 床部
３ コンクリート床
３ａ 傾斜面
４ 凹溝
５ａ〜５ｃ 突条壁
６ 排出溝
６ａ 簾子
６ｂ スクレーパ
７ 敷料床形成溝
８ 豚舎用敷料
９ 敷料床
１１ 固定柵（仕切り部材）
１２ 開閉柵（仕切り部材）
１５ 豚房
１６ 小収容室
１７ 大収容室
２０ 攪拌移送機
２１ 前後移動用軌条
２２ 前後移動用架台
２３ 搭載枠
２４ 左右移動用軌条
２５ 左右移動用架台
３０ 前後移動用モータ
３１ 左右移動用モータ
３５ 攪拌ロータ
３６ 芯棒
３７ 攪拌羽
３８ 支軸
３９ 攪拌モータ
４０ 分娩柵
４１ 底板
４１ａ 網目
４２ 取付脚
４３ 取付板
４４ 固定ガード
４４ａ 側ガード
４４ｂ 前ガード
４４ｃ 後ガード
４５ 開閉扉
４６ 横倒れ防止体
４６ａ 棒体
４６ｂ 当接片
４７ 頭部位置規制体
４８ 尻位置規制体
Ｂ ベルト
Ｊ 車軸
Ｐ プーリ
Ｒ ローラ
【図１】
2006271399.tif 000004
【図２】
2006271399.tif 000005
【図３】
2006271399.tif 000006
【図４】
2006271399.tif 000007
【図５】
2006271399.tif 000008
【図６】
2006271399.tif 000009
【図７】
2006271399.tif 000010
【図８】
2006271399.tif 000011